(57)【特許請求の範囲】
【請求項１】
室内から内部に空気を吸い込ませ、空気調和後の前記空気を室内に戻す送風機（２）と、
前記空気中から水分を除去する除湿ユニット（３）と、
貯水容器（４０）から供給された水を気化させる加湿ユニット（４）と、
前記除湿ユニット（３）と前記加湿ユニット（４）とを制御する制御部（６）と、
を備え、
前記除湿ユニット（３）は、
前記空気中から水分を吸着し得る吸着部（３１）と、
ヒータ（３２）と、
第２送風機（３３）と、
前記ヒータ（３２）によって温度上昇した高温空気が前記第２送風機（３３）によって内部を流れ、その高温空気と前記送風機（２）により外部を流れる前記空気との間で熱交換を行わせる、熱交換部（３５）と、
を有しており、
前記制御部（６）は、
前記除湿ユニット（３）の前記吸着部（３１）に水分の吸着を行わせ、前記ヒータ（３２）および前記第２送風機（３３）を機能させ、前記吸着部（３１）が吸着した前記水分を前記高温空気に放出させ、前記熱交換部（３５）で前記高温空気を冷却することにより前記水分を結露させて回収する除湿運転モードと、
前記除湿ユニット（３）の前記吸着部（３１）に水分の吸着を行わせず、前記ヒータ（３２）及び前記第２送風機（３３）を機能させて前記送風機（２）により前記熱交換部（３５）の外部を流れている前記空気を暖める暖房運転モードと、
前記除湿ユニット（３）の前記吸着部（３１）に水分の吸着を行わせず、前記ヒータ（３２）及び前記第２送風機（３３）を機能させて前記送風機（２）により前記熱交換部（３５）の外部を流れている前記空気を暖め、さらに前記加湿ユニット（４）も稼働させる暖房加湿運転モードと、
を実行可能であり、
前記各モードのいずれかを実行させる選択部（３７）を有している、
空気調和機（１）。
【請求項２】
前記送風機（２）によって形成される空気流路において、
前記除湿ユニット（３）の前記熱交換部（３５）が、前記加湿ユニット（４）の上流に位置する、
請求項１に記載の空気調和機（１）。
【請求項３】
前記除湿ユニット（３）は、前記吸着部（３１）を回転させる駆動部（３６）をさらに有し、
前記制御部（６）は、前記暖房運転モードおよび暖房加湿運転モードを実行するとき、前記駆動部（３６）を停止し前記吸着部（３１）を回転させない、
請求項１に記載の空気調和機（１）。
【請求項４】
前記吸着部（３１）は、回転しながら空気中の水分を吸着する円板状の吸着素子であって、外円周上に、前記駆動部（３６）の動力が伝達される耐熱性材料で成形された動力受動部（３１１）を有している、
請求項３に記載の空気調和機（１）。
【発明の詳細な説明】
【技術分野】
【０００１】
本発明は、空気調和機、特に除湿および加湿の両機能を有する空気調和機に関する。
【背景技術】
【０００２】
近年、除湿機能と加湿機能とを一台に持たせた空気調和機が広く普及している。代表的なものとして、蒸気圧縮式冷凍サイクルを利用したもの（例えば、特許文献１参照）、吸着素子を利用したもの（例えば、特許文献２参照）が挙げられる。
【０００３】
特許文献１に記載の空気調和機は、除湿運転時は蒸発器で空気中の水分を結露させて除湿し、加湿運転時は貯水タンクの水を加熱して加湿している。また、特許文献２に記載の空気調和機は、回転する円板状の吸着素子を有しており、除湿運転時はその吸着素子に空気中の水分を吸着させて除湿し、加湿運転時はその吸着素子に温風を当て水分を放出させて加湿している。
【０００４】
特許文献１及び特許文献２に記載されている空気調和機は、比較的小型で、ユーザーが屋内を任意に持ち運びできるという便利さ有しているが、用途が除加湿用に限定されており、暖房機能を持ち合わせていない。例えば、冬以外の季節で少し肌寒い日には、エアコンやストーブより能力の小さい小規模暖房を必要とするときがあり、そのようなときに、除加湿ユニットに小規模暖房機能が備わっていれば、ユーザーにとって便利である。
【特許文献１】特開平６−３０７６７７号公報
【特許文献２】特開平１１−２４１８３８号公報
【発明の開示】
【発明が解決しようとする課題】
【０００５】
本発明の課題は、除加湿機能に加えて小規模暖房機能を有する空気調和機を提供することにある。
【課題を解決するための手段】
【０００６】
第１発明に係る空気調和機は、送風機と、除湿ユニットと、加湿ユニットと、制御部と
を備えている。送風機は、室内から内部に空気を吸い込ませ、空気調和後の前記空気を室内に戻す。除湿ユニットは、空気中から水分を除去する。加湿ユニットは、貯水容器から供給された水を気化させる。制御部は、除湿ユニットと加湿ユニットとを制御する。除湿ユニットは、吸着部と、ヒータと、第２送風機と、熱交換部とを有している。吸着部は、空気中から水分を吸着することができる。熱交換器は、ヒータによって温度上昇した高温空気が、第２送風機によって内部を流れ、その高温空気と送風機により外部を流れる空気との間で熱交換を行わせる。制御部は、除湿運転モードと、暖房運転モードと、暖房加湿運転モードとを実行可能である。除湿運転モードは、除湿ユニットの吸着部に水分の吸着を行わせ、ヒータおよび第２送風機を機能させ、吸着部が吸着した水分を高温空気に放出させ、熱交換部で高温空気を冷却することにより水分を結露させて回収する。暖房運転モードでは、除湿ユニットの吸着部に水分の吸着を行わせず、ヒータ及び第２送風機を機能させて送風機により熱交換部の外部を流れている空気を暖める。暖房加湿運転モードは、除湿ユニットの吸着部に水分の吸着を行わせず、ヒータ及び第２送風機を機能させて送風機により熱交換部の外部を流れている空気を暖め、さらに加湿ユニットも稼働させる。さらに、制御部は、各モードのいずれかを実行させる選択部を有している。
【０００７】
この空気調和機では、ユーザーが、居住空間を暖めたいとき、居住空間の湿度やユーザーの身体状態に応じて、暖房運転モード又は暖房加湿運転モードのいずれか一方を選択することができるので、使い勝手がよい。
【０００８】
第２発明に係る空気調和機は、第１発明に係る空気調和機であって、送風機によって形成される空気流路において、除湿ユニットの熱交換部が、加湿ユニットの上流に位置する。
【０００９】
この空気調和機では、空気は、除湿ユニットの熱交換部によって加熱され、相対湿度が低下した状態で加湿ユニットに入るので、多くの水分を吸収することができる。
【００１０】
第３発明に係る空気調和機は、第１発明に係る空気調和機であって、除湿ユニットが、吸着部を回転させる駆動部をさらに有している。制御部は、暖房運転モードおよび暖房加湿運転モードを実行するとき、駆動部を停止し吸着部を回転させない。
【００１１】
この空気調和機では、暖房運転モードおよび暖房加湿運転モードを実行しているとき、高温空気は、捕水部の一領域のみに当たり、水分を捕獲した他の領域には当たらないので、除湿は行われない。すなわち、駆動部が停止することによって除湿ユニットが暖房ユニットに切り換るので、使い勝手がよい。
【００１２】
第４発明に係る空気調和機は、第３発明に係る空気調和機であって、吸着部が、回転しながら空気中の水分を吸着する円板状の吸着素子であって、外円周上に、前記駆動部の動力が伝達される耐熱性材料で成形された動力受動部を有している。
【００１３】
この空気調和機では、暖房運転モードが実行されているとき、停止した吸着素子の一部分及び動力受動部の一部分に高温空気が当たり温度上昇する。動力受動部は、吸着素子に比べて体積が小さく、急激に温度上昇するが、耐熱性材料で成形されているので熱変形が防止される。
【発明の効果】
【００１４】
第１発明に係る空気調和機では、ユーザーが、居住空間を暖めたいとき、居住空間の湿度やユーザーの身体状態に応じて、暖房運転モード又は暖房加湿運転モードのいずれか一方を選択することができるので、使い勝手がよい。
【００１５】
第２発明に係る空気調和機では、空気は、除湿ユニットの熱交換部によって加熱され、相対湿度が低下した状態で加湿ユニットに入るので、多くの水分を吸収することができる。
【００１６】
第３発明に係る空気調和機では、駆動部が停止することによって除湿ユニットが暖房ユニットに切り換るので、使い勝手がよい。
【００１７】
第４発明に係る空気調和機では、動力受動部が耐熱性材料で成形されているので、熱変形が防止される。
【発明を実施するための最良の形態】
【００１８】
以下図面を参照しながら、本発明の実施形態について説明する。なお、以下の実施形態は、本発明の具体例であって、本発明の技術的範囲を限定するものではない。
【００１９】
＜空気調和機の構成＞
本発明の一実施形態に係る空気調和機は、除湿機能、加湿機能及び空気清浄機能を有しており、除湿運転時は除湿機として、加湿運転時は加湿機として、空気清浄運転時は空気清浄機として働く。また、本実施形態では、単一機能だけでなく、同時に複数の機能を組合せて稼働させることができる。例えば、空気清浄機能と除湿機能との組合せ、空気清浄機能と加湿機能との組合せ、及び除湿機能と加湿機能との組合せである。
【００２０】
図１は、本発明の一実施形態に係る空気調和機の斜視図である。図１において、空気調和機１では、送風機２、除湿ユニット３、加湿ユニット４、空気清浄部５及び制御部６が、本体１０に収納されている。本実施形態では、ユーザーが容易に空気調和機１を移動させることができるように、本体１０の下面（室内の床面と対向する面）に、キャスター（図示せず）が設けられている。
【００２１】
送風機２は、本体１０に対して空気清浄部５と反対側に位置しており、空気清浄部５側から視たとき、空気清浄部５、除湿ユニット３、加湿ユニット４、送風機２の順で並んでいる。送風機２が稼働しているとき、空気が空気清浄部５側から吸い込まれて、除湿ユニット３を通過した後に加湿ユニット４を通過し送風機２に至る空気風路Ａが形成される。制御部６は、本体１０の上部に配置されおり、空気清浄部５、除湿ユニット３、加湿ユニット４及び送風機２を個別に制御することができる。
【００２２】
図２は、除湿ユニット及び加湿ユニットの斜視図である。図２において、手前側に位置するのが除湿ユニット３であり、奥側に位置するのが加湿ユニット４である。図１、図２において、加湿ユニット４の構成部品である貯水容器４０、気化素子４１及び水車４２が加湿ユニット４から飛び出しているが、正規状態では加湿ユニット４の所定位置に配置されている。
【００２３】
＜除湿ユニット＞
図３は、除湿ユニットの斜視図である。図３において、除湿ユニット３は、吸着素子３１、ヒータ３２、第２送風機３３、送風管３４及び熱交換部３５を有している。吸着素子３１は、ハニカム構造体であり、ゼオライト粉末、バインダー及び膨張剤を混合して練り上げた材料によって円板状で多孔質に成形されている。バインダーは、例えば、変性ＰＰＥ、ポリプロピレン、ポリスチレン、ＡＢＳ樹脂などの熱可塑性樹脂から選択される。膨張剤は、ハニカム構造体の成形時に膨張し無数の気泡を形成する。このため、吸着素子３１は、水分に対して高い吸着性を有している。
【００２４】
ヒータ３２は、空気流路Ａに対して吸着素子３１の下流側の側面と対向する場所に配置されており、吸着素子３１の側面の６分の１程度を覆うことができる扇形の取付部材によって取り付けられている。
【００２５】
第２送風機３３は、吸着素子３１の上方から空気流路Ａに対して吸着素子３１の下流側へ突出するように取り付けられている。ヒータ３２と第２送風機３３とは空気の流通ができるように第１送風管３４ａによって連絡されている。第２送風機３３の稼働によって発生する空気は、第１送風管３４ａを通ってヒータ３２に至り、そこで加熱されて高温空気となる。
【００２６】
送風管３４は、第１送風管３４ａ、第２送風管３４ｂ、第３送風管３４ｃ及び第４送風管３４ｄから成る。ヒータ３２によって加熱された高温空気は、対向する吸着素子３１の側面から吸着素子３１の厚み方向に沿って進み、反対側の側面から出てくる。吸着素子３１の高温空気が通過した領域は、高温空気に加熱されて水分を高温空気へ放出する。
【００２７】
吸着素子３１を通過した高温空気は、高温高湿空気となって第２送風管３４ｂに入る。第２送風管３４ｂは、吸着素子３１を通過してきた高温高湿空気を完全に回収できるように、空気流路Ａに対して吸着素子３１の上流側の側面を覆うように配置されている。第２送風管３４ｂは、外形が扇形であって、側面の６分の１程度を覆っている。
【００２８】
第３送風管３４ｃは、第２送風管３４ｂから流れてくる高温高湿空気を、吸着素子３１の径方向外側の外周に沿って流す。第３送風管３４ｃには、空気流路Ａと同じ方向に貫通する複数の長孔３５ａが設けられており、空気流路Ａを流れる空気がその長孔３５ａを通過する。第３送風管３４ｃを流れる高温高湿空気は、長孔３５ａの壁面に接触しながら流れているので、長孔３５ａを通過する空気は、高温高湿空気から熱量を奪う。このため、長孔３５ａの壁面に接触した高温高湿空気は冷却され、長孔３５ａの壁面は結露する。結露水は、所定の出口を通過して後述の貯水容器４０へ入る。
【００２９】
第４送風管３４ｄは、第３送風管３４ｃと第２送風機３３とを連絡している。第３送風管３４ｃを流れる高温高湿空気は、複数の長孔３５ａの壁面に接触して熱量と水分を奪われた後に、第４送風管３４ｄを通って第２送風機３３に吸い込まれる。
【００３０】
長孔３５ａは、吸着素子３１の径方向外側を囲むように設けられており、複数の長孔３５ａが熱交換部３５を形成している。除湿ユニット３は、厚み方向の寸法がほぼ同じ値に設定された平坦領域３ａが形成されており、第３送風管３４ｃと熱交換部３５とは、この平坦領域３ａに含まれる。
【００３１】
図４は、除湿ユニットをヒータ側から視た正面図である。図４において、除湿ユニット３は、駆動モータ３６をさらに有している。駆動モータ３６は、ピニオン歯車３６１を有しており、吸着素子３１の外周には、ピニオン歯車３６１と噛み合う従動歯車３１１が設けられている。駆動モータ３６が稼働している間、吸着素子３１は回転しており、空気流路Ａを通過する空気と接触して水分を吸着し、ヒータ３２と対向する位置でその水分を放出し、再び空気流路Ａを通過する空気と接触する。このため、吸着素子３１は、水分の吸着と放出を繰り返すことができる。
【００３２】
図１において、本体１０の最上面には、空気清浄運転、除湿運転および加湿運転を選択する選択パネル１１が設けられており、制御部６と接続されている。選択パネル１１には、吸着素子３１の回転と停止とを選択できる選択ボタン３７が含まれており、除湿運転時に選択ボタン３７をオフにすると、吸着素子３１の回転が停止し、除湿されなくなる。このとき、ヒータ３２と第２送風機３３は稼働しているので、高温空気は送風管３４内を循環する。このため、空気流路Ａを流れる空気は、熱交換部３５を通過するときに暖められるので、小規模な暖房が行なわれる。このときに加湿ユニット４を同時に稼働させることによって、暖房加湿運転が行なわれる。なお、本実施形態では、制御部６に予め暖房加湿運転モードが設定されており、選択パネル１１から暖房加湿運転を選択できるようにしている。
【００３３】
例えば、選択パネル１１によって、暖房加湿運転モードが選択されたとき、制御部６は、空調対象空間の湿度が目標湿度に達するまで暖房加湿運転モードを実行し、空調対象空間の湿度が目標湿度に達したとき、自動的に加湿ユニット４の稼動を停止し、暖房運転モードへ切り替える。
【００３４】
また、選択パネル１１によって、暖房運転モードが選択されたとき、制御部６が、空調対象空間の湿度が目標湿度に達していないと判断した場合は、暖房運転モードを停止し、空調対象空間が目標湿度に達するまで、暖房加湿運転モードを実行する。具体的には、目標相対湿度と実側相対湿度との差が所定値（２０％）以下のときに、暖房運転モードが選択された場合に、制御部６は、空調対象空間の相対湿度が目標相対湿度に達するまで、暖房運転モードに替わって、暖房加湿運転モードを実行する。
【００３５】
＜加湿ユニット＞
図５は、加湿ユニットの斜視図である。図５において、加湿ユニット４は、貯水容器４０、気化素子４１、水車４２及び駆動部４３を有している。貯水容器４０は、空気流路Ａを通る空気に与える水分の水源であり、本体１０に脱着可能に収納されている。貯水容器４０内の水が不足している場合は、ユーザーによって本体１０の引き出し口から引き出されて、水が補充される。なお、本実施形態の空気調和機においては、除湿ユニット３で捕獲された水を貯水容器４０に貯めて、水の補充の回数を低減している。
【００３６】
気化素子４１は、不織布で円板状に成形され、回転することによって貯水容器４０から送られてくる水を蒸発させる気化部材である。気化素子４１は外周に第１歯車４１１を有しており、第１歯車４１１は駆動部４３によって回転する。気化素子４１は、貯水容器４０の満水時の水位よりも上方に配置されているので、貯水容器４０内の水とは直接接触していない。
【００３７】
図６は、図５の空気流れの下流側から視た加湿ユニットの斜視図である。図６において、水車４２は、貯水容器４０に回転可能に支持されており、貯水容器４０内の水を汲み上げて気化素子４１に向って放出する。加湿ユニット４の厚み方向の寸法を小さくするため、気化素子４１と水車４２は、回転の軸を並行にし、互いに近接して対向している。
【００３８】
したがって、水車４２は側面で水を汲み上げ側面から気化素子４１の側面に向って放出する必要があり、水車４２の側面の外周近傍には、台形上の開口を有する複数の凹部４２１ａが設けられている。
【００３９】
図７は、水車の分解斜視図である。図７において、水車４２は、車輪４２１、車輪カバー４２２及び第２歯車４２３から成る。車輪４２１には、一方の側面から反対側の側面に向って窪んだ複数の凹部４２１ａが円周を描くように形成されている。そして、凹部４２１ａの開口側を覆うように、車輪４２１に車輪カバー４２２が組み合わされている。
【００４０】
車輪カバー４２２には、台形上の孔４２２ａが車輪４２１の凹部４２１ａと対向する位置に円周を描くように形成されている。孔４２２ａの大きさは、凹部４２１ａの開口の半分程度であるので、車輪４２１に車輪カバー４２２が組み合わされたとき、凹部４２１ａの開口の半分程度が開いた状態となる。
【００４１】
第２歯車４２３は、気化素子４１の第１歯車４１１と噛み合う歯車であり、回転の中心には、車輪４２１、車輪カバー４２２および第２歯車４２３が共有する回転軸４２４が設けられている。回転軸４２４を同軸として、第２歯車４２３、車輪カバー４２２、車輪４２１が順に重ねて組み合わされている。
【００４２】
水車４２は、回転することによって、凹部４２１ａが順番に貯水容器４０の水中を通過して上昇してくる。凹部４２１ａが浸水したとき、孔４２２ａから凹部４２１ａの内部へ水が入るので、水中から出てきた凹部４２１ａの内部は水で満たされている。
【００４３】
凹部４２１ａが最上位置に近づくにしたがって、凹部４２１ａ内の水は孔４２２ａから流出し、最上位置を通過したときにほぼ全ての水が流出する。水は、流出する際に重力によってある程度の勢いが付加されているので、凹部４２１ａと近接している気化素子４１の側面に向って流出する。
【００４４】
図６において、回転軸４２４は、貯水容器４０の軸受４０ａに回転可能に支持されており、貯水容器４０の底面から軸受４０ａの軸芯までの高さは、水車４２が配置されたときに貯水容器４０が最低水位のときであっても、水車４２の最下位置にある凹部４２１ａが水没するように設定されている。
【００４５】
また、軸受４０ａは、上半分が開いているので、貯水容器４０が本体１０から引き出されたときに、ユーザーは水車４２を貯水容器４０から取り出して洗浄することができる。
【００４６】
図８は、除湿ユニットと加湿ユニットとが組み合わされた状態の斜視図である。図８において、加湿ユニット４は、除湿ユニット３の第２送風機３３の下方に、重なるように配置されている。加湿ユニット４の気化素子４１は、除湿ユニット３の吸着素子３１及び図８では不可視の熱交換部３５と対向している。そして、水車４２は、気化素子４１と熱交換部３５とで挟まれるように配置されている。
【００４７】
図１で示したように、貯水容器４０は、引き出し式の第１扉１０ａを引き出すことによって本体１０の引き出し口１２から取り出すことができ、気化素子４１は、回転式の第２扉１０ｂを開けることによって、本体１０の引き出し口１３から取り出すことができる。これによって、ユーザーは、貯水容器４０を取り出して、水の補給および水車４２の洗浄を行うことができ、気化素子４１を取り出して交換することもできる。
【００４８】
なお、貯水容器４０内の水の過不足は、第１扉１０ａに設けられた窓部１０ｃから目視によって確認することができる。本実施形態では、窓部１０ｃは矩形状の孔であり、この孔に貯水容器４０に予め形成されている凸部４０ｃ（図６参照）が嵌合している。ユーザーは、窓部１０ｃの孔から凸部４０ｃに映る水位を目視することができる。
【００４９】
図５、図６で示すように、気化素子４１は、本体１０からの取り出しを容易にするために、回転軸を突出させない形状に成形されている。このため、気化素子４１は、第１歯車４１１が駆動歯車４３１及び第２歯車４２３と噛み合うことによって支持されている。第１歯車４１１が、安定した姿勢を維持するために、駆動歯車４３１及び第２歯車４２３は、第１歯車４１１の回転軸よりも下方に位置し、且つ気化素子４１の鉛直中心線に対して互いに反対側に位置している。このため、気化素子４１は、軸支持されていなくても、安定して回転することができ、本体１０から取り出されるときには、突出する軸がないので、本体１０内部に引っ掛かることなく容易に取り出される。
【００５０】
貯水容器４０を本体１０から取り出したときに、気化素子４１から落下してくる水をどう処理するかが問題となる。本実施形態では、図８に示すように、気化素子４１の下方に、水受け容器４４が設けられている。水受け容器４４は、支持枠４ｂの下方に遥動可能に支持されており、遥動の中心となる遥動軸４４ｂに対して気化素子４１側には、水を下方に流すための注ぎ口４４ａを有し、遥動軸４４ｂに対して駆動部４３側には、水を一時的に貯える予備容器４４ｃを有している。
【００５１】
水受け容器４４は、気化素子４１が正規位置にあるときは、注ぎ口４４ａを下方に向けて水を貯水容器４０に流し、気化素子４１が取り出されたときは、注ぎ口４４ａを上方に向けて、気化素子４１から落下してきた水を予備容器４４ｃに貯めている。
【００５２】
＜特徴＞
（１）
空気調和機１では、制御部６が、暖房運転モードと暖房加湿運転モードとを実行可能であり、暖房運転モード時には、除湿ユニット３の熱源部（ヒータ３２、第２送風機３３、送風管３４及び熱交換部３５）を稼働させ、暖房加湿運転モード時には、除湿ユニット３の熱源部と、加湿ユニット４とを同時に稼働させる。ユーザーは、選択ボタン３７を介して暖房運転モード又は暖房加湿運転モードを選択することができる。その結果、ユーザーは、居住空間を暖めたいときに、居住空間の湿度やユーザーの身体状態に応じて、暖房運転モード又は暖房加湿運転モードのいずれか一方を選択することができる。
【００５３】
（２）
空気調和機１では、暖房加湿運転時、送風機２によって形成される空気流が、除湿ユニット３の熱交換部３５を通過して、加湿ユニット４へ流れる。空気は、除湿ユニット３の熱交換部３５によって加熱され、相対湿度が低下した状態で加湿ユニット４に入るので、多くの水分を吸収することができる。また、除湿ユニット３を通過する空気は、ヒータ３２で直接加熱されるのではなく、熱交換部３５によって加熱されているので、空気の温度上昇幅は低く、小規模な暖房に適している。
【００５４】
（３）
空気調和機１では、除湿運転時、吸着素子３１が回転しながら空気中の水分を吸着する。吸着素子３１は、円板状であり、外円周上に駆動モータ３６の動力が伝達される従動歯車３１１を有している。暖房運転時、駆動モータ３６は停止しているので、従動歯車３１１は回転せず局部的に温度上昇する。しかし、従動歯車３１１は、耐熱性材料で成形されているので熱変形することはない。
【００５５】
＜他の実施形態＞
上述の実施形態では、空気流路Ａに対して除湿領域が加湿領域の上流に位置しているが、除湿領域が、加湿領域よりも下流に位置してもよい。これによって、加湿運転から除湿運転に切替えられたときに、加湿ユニット４を通過する空気が、加湿ユニット４に残留する水分を吸収した場合でも、その空気は、除湿ユニット３を通過するので確実に除湿された空気を放出することができる。
【００５６】
また、加湿領域と除湿領域とが並列に位置してもよい。これによって、除湿運転及び加湿運転を同時に行なうことができるので、例えば、加湿された空気で室内湿度を制御しながら、除湿された空気を室内のガラス窓側へ吹き出してガラスの結露を防止することができる。
【００５７】
さらに、暖房運転モードの温風を利用して、ランドリー乾燥運転を行うこともできる。例えば、図９は、空気調和機の本体上部の斜視図であり、図９において、調湿された空気は吹出口１１１から吹き出される。空気の吹き出し方向は、吹出口１１１の開口部に設置されたルーバー１１２によって変更することができるので、吹出口１１１を洗濯物に向けて、風量を設定することによってランドリー乾燥運転が容易に実行される。このとき、所定時間経過後に電源が自動的にオフする切タイマと連動させることによって、さらに使い勝手が向上する。
【産業上の利用可能性】
【００５８】
以上のように、本発明によれば、除湿機能と加湿機能と有する空気調和機を小型にできるので、卓上の多機能空気調和機として有用である。
【図面の簡単な説明】
【００５９】
【図１】本発明の一実施形態に係る空気調和機の斜視図。
【図２】除湿ユニット及び加湿ユニットの斜視図。
【図３】除湿ユニットの斜視図。
【図４】除湿ユニットをヒータ側から視た正面図。
【図５】加湿ユニットの斜視図。
【図６】図５の空気流れの下流側から視た加湿ユニットの斜視図。
【図７】水車の分解斜視図。
【図８】除湿ユニットと加湿ユニットとが組み合わされた状態の斜視図。
【図９】空気調和機の本体上部の斜視図。
【符号の説明】
【００６０】
１  空気調和機
２  送風機
３  除湿ユニット
４  加湿ユニット
６  制御部
３１  吸着素子（捕水部）
３２  ヒータ（熱源部）
３３  第２送風機（熱源部）
３４  送風管（熱源部）
３５  熱交換部（熱源部）
３６  駆動モータ（駆動部）
３７  選択ボタン（選択部）
４０  貯水容器
３１１  従動歯車（動力受動部）
【図１】
0004424430.tif 000002
【図２】
0004424430.tif 000003
【図３】
0004424430.tif 000004
【図４】
0004424430.tif 000005
【図５】
0004424430.tif 000006
【図６】
0004424430.tif 000007
【図７】
0004424430.tif 000008
【図８】
0004424430.tif 000009
【図９】
0004424430.tif 000010